(57)【要約】再構成可能な放射感受性低減のための方法およびデバイスブラケットが提示される。該方法は、送信器、アンテナ、マイクロプロセッサ、電気部品などの発生源からの放射波を受け取ること、放射波に応答して、プリント基板、ディスプレイ、コネクタ、またはキーパッドのような電気回路の接地板を介して第１の単位面積あたりの電流（Ｉ／ｕｎｉｔｓ２）を生成すること、制御信号を受け取ること、および、制御信号に応答して、接地板を介して第２のＩ／ｕｎｉｔｓ２を生成することを含む。このステップは、選択可能な有効電気的長さを有するブラケットに接地板を結合する。一般的に、接地板は、固定物理的長さセクションを用いてブラケットに結合され、固定の物理的長さおよび選択可能な有効電気的長さに応答して組み合わされた有効電気的長さを提供する。
2008512973.tif 000002
【特許請求の範囲】
【請求項１】
再構成可能な放射感受性低減ブラケットを有するデバイスであって、該デバイスは、
放射発生源と、
接地板を有する電気回路と、
該接地板に結合される再構成可能な放射感受性低減ブラケットと
を備える、デバイス。
【請求項２】
前記電気回路は、プリント基板（ＰＣＢ）、ディスプレイ、コネクタ、および、キーパッドに取り付けられた部品を含むグループの中から選択される、請求項１に記載のデバイス。
【請求項３】
前記放射発生源は、送信器、アンテナ、マイクロプロセッサ、電気部品、カメラ、コネクタ、信号ケーブル、および、集積回路を含むグループの中から選択される、請求項１に記載のデバイス。
【請求項４】
前記ブラケットは、選択可能な有効電気的長さを有する、請求項１に記載のデバイス。
【請求項５】
前記ブラケットは、遠位端、近位端、制御信号を受信する制御入力、および、該制御信号に応答して選択可能な有効電気的長さを有する、選択可能電気的長さセクションを含む、請求項４に記載のデバイス。
【請求項６】
前記ブラケットは、遠位端、近位端、および、固定の物理的長さを有する固定電気的長さセクションをさらに含み、かつ、前記選択可能電気的長さセクションと該固定電気的長さセクションとの組み合わせが、前記制御信号に応答して組み合わされた選択可能な有効電気的長さを提供する、請求項５に記載のデバイス。
【請求項７】
前記ブラケットは、複数の選択可能電気的長さセクションを含む、請求項５に記載のデバイス。
【請求項８】
前記複数の選択可能電気的長さセクションは、前記接地板に接続される構成、直列接続される構成、並列接続される構成、および、上記接続構成の組み合わせを含むグループの中から選択される構成で接続される、請求項７に記載のデバイス。
【請求項９】
前記ブラケットは、複数の固定電気的長さセクションを含む、請求項６に記載のデバイス。
【請求項１０】
前記複数の固定電気的長さセクションは、接地板に接続される構成、直列接続される構成、並列接続される構成、および、上記接続構成の組み合わせを含むグループの中から選択される構成で、選択可能電気的長さセクションに接続される、請求項９に記載のデバイス。
【請求項１１】
前記選択可能電気的長さセクションは、ＦＥＴ、ＰＩＮダイオード、強誘電性コンデンサ、バラクターダイオード、およびマイクロエレクトロメカニカルシステム（ＭＥＭＳ）スイッチを含むグループの中から選択される、請求項５に記載のデバイス。
【請求項１２】
前記ブラケットは、
隣合う導電性エリアのマトリクスとして形成される複数の固定電気的長さセクションと、
固定電気的長さセクションの間を結合する複数の選択可能電気的長さセクションと、
前記接地板に結合される、該複数の選択可能電気的長さセクションのうちの少なくとも１つと
を含む、請求項１０に記載のデバイス。
【請求項１３】
前記固定電気的長さセクションは、ワイヤ、ファスナー、導電性トレース、導電性塗料を含むグループの中から選択されるエレメントであり、かつ、直線、Ｌ形、Ｏ形、および、上記形状の組み合わせに形成される部材である、請求項６に記載のデバイス。
【請求項１４】
前記ブラケットは、
前記電気回路を包囲するシャーシと、
該シャーシに導電性トレースとして形成される固定電気的長さセクションと、
該シャーシに取り付けられた固定電気的長さセクションを前記接地板に結合する選択可能電気的長さセクションと
を含む、請求項６に記載のデバイス。
【請求項１５】
周波数選択コマンドを受信する入力および前記選択可能電気的長さセクションに接続される出力を有し、該周波数選択コマンドに応答して制御信号を供給する、感受性低減制御回路をさらに備える、請求項５に記載のデバイス。
【請求項１６】
再構成可能な放射感受性低減のための方法であって、該方法は、
放射波を受信することと、
該放射波に応答して、電気回路の接地板を介して第１の単位面積あたりの電流（Ｉ／ｕｎｉｔｓ２）を生成することと、
制御信号を受信することと、
該制御信号に応答して、第１のＩ／ｕｎｉｔｓ２とは異なる第２のＩ／ｕｎｉｔｓ２を該接地板を介して生成することと
を包含する、方法。
【請求項１７】
電気回路の前記接地板を介して第１のＩ／ｕｎｉｔｓ２を生成することは、プリント基板（ＰＣＢ）、ディスプレイ、コネクタ、および、キーパッドに取り付けられる部品を含むグループの中から選択される電気回路の接地板を介して第１のＩ／ｕｎｉｔｓ２を生成することを含む、請求項１６に記載の方法。
【請求項１８】
放射波を受信することは、送信器、アンテナ、マイクロプロセッサ、電気部品、集積回路、カメラ、コネクタ、および、信号ケーブルを含むグループの中から選択される発生源からの放射波を受信することを含む、請求項１６に記載の方法。
【請求項１９】
前記制御信号に応答して、第２のＩ／ｕｎｉｔｓ２を電気回路の前記接地板を介して生成することは、該接地板を選択可能な有効電気的長さを有するブラケットに結合することを含む、請求項１６に記載の方法。
【請求項２０】
前記接地板を選択可能な有効電気的長さを有するブラケットに結合することは、固定の物理的長さと前記選択可能な有効電気的長さとに応じて組み合わされた有効電気的長さを提供するために、該接地板を該固定物理的長さセクションを有するブラケットに結合することを含む、請求項１９に記載の方法。
【請求項２１】
前記接地板を選択可能な有効電気的長さを有するブラケットに結合することは、該接地板を複数の選択可能電気的長さセクションを有するブラケットに結合することを含む、請求項１９に記載の方法。
【請求項２２】
前記接地板を複数の選択可能電気的長さセクションを有するブラケットに結合することは、該接地板に接続される構成、直列接続される構成、並列接続される構成、および、上記接続構成の組み合わせを含むグループの中から選択される構成で、該複数の選択可能電気的長さセクションを接続することを含む、請求項２１に記載の方法。
【請求項２３】
前記接地板を選択可能な有効電気的長さを有するブラケットに結合することは、該接地板を複数の固定物理的長さセクションを有するブラケットに結合することを含む、請求項２１に記載の方法。
【請求項２４】
前記接地板を複数の固定物理的長さセクションを有するブラケットに結合することは、該接地板に接続される構成、直列接続される構成、並列接続される構成、および、上記接続構成の組み合わせを含むグループの中から選択される構成で、複数の固定電気的長さセクションを選択可能電気的長さセクションに結合することを含む、請求項２３に記載の方法。
【請求項２５】
前記接地板を選択可能な有効電気的長さを有するブラケットに結合することは、トランジスタ結合、ｐ／ｎ接合結合、選択可能容量結合、可変ギャップ結合、およびメカニカルブリッジを含むグループの中から選択されるメカニズムを介して結合することを含む、請求項１９に記載の方法。
【発明の詳細な説明】
【技術分野】
【０００１】
（関連出願の引用）
本出願は、出願人同一の同時継続中の米国特許出願第１０／９４０，２０６号、タイトル「ＲＥＣＯＮＦＩＧＵＲＡＢＬＥ  ＲＡＤＩＡＴＩＯＮ  ＤＥＳＥＮＳＩＴＩＶＩＴＹ  ＢＲＡＣＫＥＴ  ＳＹＳＴＥＭＳ  ＡＮＤ  ＭＥＴＨＯＤＳ」と関連し、該出願の全体が参考として本明細書において援用される。
【０００２】
（技術分野）
本発明は、概して無線通信に関し、より詳細には無線通信アンテナに関する。
【背景技術】
【０００３】
電話のような無線通信デバイスのサイズは、さらに多くの機能が付加されるにもかかわらず小さくなり続ける。結果として、設計者は部品またはデバイスのサブシステムの性能を高めなければならず、一方で、これらの部品を好ましくない位置に詰め込む。１つのそのようなクリティカルな部品は無線通信アンテナである。このアンテナは電話の受信機に、または、例えば全地球測位システム（ＧＰＳ）の受信機に接続され得る。
【０００４】
無線通信デバイスは、主または副の通信アンテナのいずれかとして、単純な円筒コイルアンテナまたはホイップアンテナを使用することで知られている。逆Ｆ形アンテナもよく知られている。多くの従来の無線電話は、不平衡信号フィード（ｕｎｂａｌａｎｃｅｄ  ｓｉｇｎａｌ  ｆｅｅｄ）を有するモノポールまたは単一放射器の設計を用いる。このタイプの設計は、無線電話プリント基板の接地板およびシャーシがカウンターポイズとして作用することを当てにする。単一放射器設計は、アンテナの全体としての波形率を減らすように作用する。しかしながら、近接する回路の設計および位置の変化、ならびに使用時の近接する物体との相互作用、すなわち、近くの壁または電話が保持される方法に、カウンターポイズは影響を受けやすい。カウンターポイズの感受性の結果として、放射パターンおよび通信効率は有害な影響を受ける。近接する回路網の接地板がアンテナのカウンターポイズとして要求されないように、たとえ平衡アンテナが使用されたとしても、放射パターンおよび放射感受性の高い回路網の問題は残る。
【０００５】
アンテナまたは一群のアンテナが複数の周波数帯において作動するときに、この問題は悪化する。最先端技術の無線電話は、多くの異なる通信帯域で作動するように期待される。米国においては、約８５０メガヘルツ（ＭＨｚ）のセルラー帯域（ＡＭＰＳ）、および、約１９００ＭＨｚのＰＣＳ（Ｐｅｒｓｏｎａｌ  Ｃｏｍｍｕｎｉｃａｔｉｏｎ  Ｓｙｓｔｅｍ）が使用される。他の通信帯域としては、おおよそ１８００ＭＨｚのＰＣＮ（Ｐｅｒｓｏｎａｌ  Ｃｏｍｍｕｎｉｃａｔｉｏｎ  Ｎｅｔｗｏｒｋ）およびＤＣＳ、おおよそ９００ＭＨｚのＧＳＭシステム（Ｇｒｏｕｐ  Ｓｐｅｃｉａｌ  Ｍｏｂｉｌｅ）、ならびに、おおよそ８００ＭＨｚおよび１５００ＭＨｚのＪＤＣ（Ｊａｐａｎｅｓｅ  Ｄｉｇｉｔａｌ  Ｃｅｌｌｕｌａｒ）を含む。他の所定の帯域としては、おおよそ１５７５ＭＨｚのＧＰＳ信号、おおよそ２４００ＭＨｚのブルートゥース（Ｂｌｕｅｔｏｏｔｈ）および１８５０ＭＨｚから２２００ＭＨｚの広帯域コード分割多数アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）がある。
【０００６】
近接する回路への放射の影響を弱めるために、いわゆるブラケット、つまり放射寄生（ｒａｄｉａｔｉｏｎ−ｐａｒａｓｉｔｉｃ）エレメントを接地板に取り付けることが公知である。一般的に、これらの「ブラケット」は、放射波に関連する接地板を介する電流を均一に分配するために使用される。言い換えると、ブラケットは、回路基板、シャーシまたはキーボードの上の任意の特定のスポットが、放射により誘起される電流に対して敏感になり過ぎることを防止するために使用される。その通信帯域のすべてにおいて、アンテナ放射と敏感な回路網との間の相互作用を最小化することは、不可能でなくとも困難である。結果として、従来の設計は１つの特定の通信帯域に対して最適化されざるをえないか、または、従来の設計は、問題の全ての通信帯域においていくらかの（最小限の）影響を受けることを、受け入れざるをえない。
【０００７】
放射により誘起される電流に対する接地板の感受性が、作動周波数全てに対して最小化され得ることは、有益である。
【０００８】
放射により誘起される電流に対する接地板の感受性が、周波数の変化に応答して、または、ある特定のエリアが過敏となることに応答して、調整され得ることは、有益である。
【０００９】
放射の全ての周波数で近接する回路の感受性を最小化するために、放射感受性低減ブラケットが再構成可能とされ得ることは、有益である。
【発明の開示】
【課題を解決するための手段】
【００１０】
本発明は、放射により誘起される電流の影響を最小化するために、放射発生源に近接する回路の接地板に追加され得る、再構成可能な放射感受性低減ブラケットを記載する。ブラケットは、周波数の変化に応答して選択的に調整または切り換えられ得る。代替的に考えると、該ブラケットは、放射波に関連する接地板を介する電流を選択的に再分配するために、空間的な再構成が可能である。
【００１１】
従って、再構成可能な放射感受性低減のための方法が提示される。該方法は、送信器、アンテナ、マイクロプロセッサ、電気部品、集積回路、カメラ、コネクタ、または信号ケーブルのような発生源からの放射波を受信すること、該放射波に応答して、プリント基板（ＰＣＢ）、ディスプレイ、コネクタ、またはキーパッドのような電気回路の接地板を介して第１の単位面積あたりの電流（Ｉ／ｕｎｉｔｓ２）を生成すること、制御信号を受信すること、および、制御信号に応答して、接地板を介して、第１のＩ／ｕｎｉｔｓ２とは異なる第２のＩ／ｕｎｉｔｓ２を生成することを包含する。例えば、接地板が選択可能な有効電気的長さを有するブラケットに結合される場合には、第２のＩ／ｕｎｉｔｓ２は著しく小さなものとなり得る。
【００１２】
一般的に、固定の物理的長さと選択可能な有効電気的長さとに応じて組み合わされる有効電気的長さを提供するために、接地板は固定物理的長さセクションを有するブラケットに結合される。結合メカニズムは、トランジスタを介して、または、ｐ／ｎ接合結合、選択可能容量結合、またはメカニカルブリッジの結果として可能である。１つの局面においては、接地板は複数の選択可能電気的長さセクションを有するブラケットに結合されるが、それは、直列接続、並列接続、または、直列接続と並列接続との組み合わせの接続構成を可能とする。
【００１３】
上述の方法および再構成可能な放射感受性低減ブラケットのさらなる詳細が以下で提供される。
【発明を実施するための最良の形態】
【００１４】
図１は、再構成可能な放射感受性低減ブラケットを有する本発明のデバイスの概略的なブロック図である。デバイス１００は、放射発生源１０２および接地板１０６を有する電気回路１０４を備える。再構成可能な放射感受性低減ブラケット１０８は、接地板１０６に結合される。電気回路１０４は、プリント回路基板（ＰＣＢ）に取り付けられた、集積回路（ＩＣ）、レジスタ、トランジスタ等のコンポーネントであり得る。あるいは、電気回路１０４は、２、３の例を挙げると、ディスプレイ、コネクタ、またはキーパッドであり得る。放射発生源１０２は、２、３の通常の発生源を挙げると、送信器、アンテナ、マイクロプロセッサ、電気部品、カメラ、コネクタ、信号ケーブル、またはＩＣであり得る。
【００１５】
本発明のブラケットの２つの主たる用途は、可搬のまたは基地局の無線デバイスにおける使用のためであり、その場合、回路網は、２、３の例を挙げると、アンテナ、送信器、トランジスタのような送信器のコンポーネント、インダクタ、レジスタのような放射エレメント、または、放射エレメント周辺の環境の変化に敏感である。例えば、シールドされていない受信器回路網は、放射エレメントに敏感であることが公知である。ブラケットの別の用途は、パソコンのようなマイクロプロセッサ駆動のコンピューティングデバイスにおけるものである。ここで、本発明のブラケットを使用することで、敏感な回路網は、電源装置、高速ＩＣ、またはネットワークインターフェースのような放射発生源から保護され得る。
【００１６】
ブラケット１０８の１つの一般的な目的は、放射放出の結果として生成される接地板電流を均一に分配すること、または、接地板の所定のエリアに電流を閉じ込めることである。従って、接地板を介する放射により生成される電流は、多くの場合、電流パターンをさえぎり、変更する近くの物体に対してデバイスを敏感にするので、ブラケット１０８は、放射感受性低減ブラケットと称される。すなわち、ブラケットは電流を分配する働きをして、接地板が近くの物体に対してあまり敏感でないようにする。別の局面においては、接地板の特定のエリアに、例えば、一時的にそばに置かれ得るユーザの手や壁などの近くの物に敏感でない接地板のシールドされたエリアに、放射により誘起された電流を意図的に導くように、ブラケットは使用され得る。
【００１７】
図２は、図１のブラケット１０８の概略的なブロック図である。一般的に、ブラケット１０８は、選択可能な有効電気的長さ２００を有する。電気的長さ２００は、波長または波長の一部分の大きさである。電気的長さは、周波数に直接比例し、それを介して放射波が伝わりブラケット１０８に到達する材料の誘電率によって変更され得る。例えば、ブラケットは、電気的長さ２００ａまたは電気的長さ２００ｂのいずれかを有するように調整され得る。当業者によって理解され得るように、ブラケットは、付属された接地板と組み合わされて、放射の周波数に依存する放射の敏感性または感受性を有する寄生エレメント（ｐａｒａｓｉｔｉｃ  ｅｌｅｍｅｎｔ）を形成する。すなわち、放射波と接地板／ブラケットの組み合わせとの相互作用は、ブラケットの電気的長さに依存する。すべてのブラケット１０８は、遠位端２０６、近位端２０８、制御信号を受信するためのライン２１０上の制御入力、および、ライン２１０上の制御信号に応答して選択可能な有効電気的長さ２００を有する、選択可能電気的長さセクション２０４を含む。切り換えエレメント、調整可能エレメント、またはその両方を含むブラケットは、構成可能と称される。以下で詳細に説明されるように、ブラケットの電気的長さは、切り換え可能または調整可能なエレメントを使用して操作され得る。
【００１８】
選択可能電気的長さセクション（ＳＥＬＳ）２０４は、ＦＥＴ、バイポーラトランジスタ、ＰＩＮダイオード、強誘電性コンデンサ、バラクターダイオード、または、マイクロエレクトロメカニカルシステム（ＭＥＭＳ）スイッチのような結合エレメントであり得る。ＳＥＬＳ２０４の電気的長さは、ただ単にセクションの物理的長さ２１２に依存するのではない。すなわち、ＳＥＬＳ２０４の結合操作は、電気的長さを変更するために変えられ得るリアクタンスまたは虚インピーダンス成分を含む。ＭＥＭＳスイッチが部分的にスイッチを閉じることによってギャップ可変コンデンサとして使用され得ることに留意する。
【００１９】
図１に戻ると、感受性低減回路１１０は、周波数選択コマンドを受信するライン１１２上の入力および選択可能有効長さセクション２０４に接続されるライン２１０上の出力を有する。感受性低減回路１１０は、周波数選択コマンドに応答して制御信号を供給する。
【００２０】
図３は、図１のブラケット１０８の第１のバリエーションの概略的なブロック図である。このバリエーションにおいては、ブラケット１０８は、遠位端３０２、近位端３０４、および、固定の物理的長さ３０６を有する固定電気的長さセクション（ＦＥＬＳ）３００をさらに含む。選択可能電気的長さセクション２０４と固定電気的長さセクション３００との組み合わせは、ライン２１０上の制御信号に応答して組み合わされた選択可能有効電気的長さセクション３０８を提供する。すなわち、全体の電気的長さ３０８は、ＦＥＬＳ３００の物理的長さ３０６とＳＥＬＳ２０４の電気的長さ２００との組み合わせであり、ＳＥＬＳ２０４の電気的長さ２００は、例えばＭＥＭＳとして可能化される場合には物理的長さであり得、例えばバラクターダイオードとして可能化される場合にはリアクタンスであり得る。
【００２１】
図４は、図１のブラケット１０８の第２のバリエーションの概略的なブロック図である。ブラケット１０８は、複数の選択可能電気的長さセクション２０４を含み得る。３つのＳＥＬＳ２０４が示されているが、本発明はどんな特定の数にも制限されない。示されるように、ＳＥＬＳ２０４は、接地板１０６に接続される。
【００２２】
図５は、図１のブラケット１０８の第３のバリエーションの概略的なブロック図である。示されるように、３つのＳＥＬＳ２０４は、接地板１０６に直列接続される。一連のＳＥＬＳはオープン接続（終端されていない）として示されているが、他の局面においては、ブラケット１０８の両端は、接地板１０６または他の回路網（示されていない）に接続され得る。示されていない他の局面においては、一連の中の個々のＳＥＬＳ２０４の間の接続が接地板１０６に終端され得る。
【００２３】
図６は、図１のブラケット１０８の第４のバリエーションの概略的なブロック図である。示されるように、３つのＳＥＬＳ２０４は、接地板１０６に並列接続される。示されていない他の局面においては、１つまたはすべてのＳＥＬＳ２０４の両端は、接地板に終端され得る。
【００２４】
図７は、図１のブラケット１０８の第５のバリエーションの概略的なブロック図である。ここでは、ＳＥＬＳ２０４ａは接地板１０６に接続され、ＳＥＬＳ２０４ｂおよびＳＥＬＳ２０４ｃは接地板１０６に直列接続され、ＳＥＬＳ２０４ｄおよびＳＥＬＳ２０４ｅは接地板１０６に並列接続される。ＳＥＬＳ２０４の各構成は、オープン接続（終端されていない）として示されているが、他の局面においては、各構成の両端は接地板１０６または他の回路網（示されていない）に接続され得る。
【００２５】
図８は、図１のブラケット１０８の第６のバリエーションの概略的なブロック図である。この局面においては、ブラケット１０８は、複数の固定電気的長さセクション３００を含む。示されるように、２つのＦＥＬＳ３００は、介在するＳＥＬＳ２０４を介して直列接続される。一連のセクションは、オープン接続（終端されていない）として示されているが、他の局面においては、ブラケットの両端は、接地板１０６もしくは他の回路網（示されていない）に接続され得、または、セクション間の接続は接地板１０６に終端され得る。
【００２６】
図９は、図１のブラケット１０８の第７のバリエーションを示す概略的なブロック図である。示されるように、ＦＥＬＳ３００ａおよびＦＥＬＳ３００ｂは、別々のＳＥＬＳ２０４ａおよびＳＥＬＳ２０４ｂそれぞれを介して接地板１０６に並列接続される。これに対して、ＦＥＬＳ３００ｃおよびＦＥＬＳ３００ｄは、一個のＳＥＬＳ２０４ｃを介して並列接続される。セクションの各構成は、オープン接続（終端されていない）として示されているが、他の局面においては、各構成の両端は接地板１０６または他の回路網（示されていない）に接続され得るということに留意する。
【００２７】
図１０は、直列接続および並列接続のＦＥＬＳ３００の一部の組み合わせ示す概略的な図である。
【００２８】
図１１は、複数の固定電気的長さセクションが隣接した導電性エリア１１０２のマトリクスを形成する場合の、ブラケット設計１１００を示す概略的な平面図である。例えば、隣接した導電性エリアは、ＰＣＢ接地板１０６の上に重ねて取り付けられる無線デバイスのキーボードの一部であり得る。斜線で表されたスペースは、個々のキーパッドである。この局面においては、隣接した導電性エリア１１０２はＦＥＬＳである。ブラケット１１００はまた、固定電気的長さセクション１１０２の間を結合するために使用される、複数の選択可能電気的長さセクション２０４を含む。様々な接続構成が見られるが、事例はすべての可能な組み合わせを網羅するものではない。選択可能電気的長さセクション２０４のうちの少なくとも１つは、接地板１０６に結合される。これに対して、例えば、ねじまたはワイヤ（示されていない）として可能化される場合には、ＦＥＬＳはブラケット１１００を接地板１０６に接続し得る。
【００２９】
図１２は、ブラケットシャーシの設計１２００を示すための、一部を切り取った透視図である。シャーシ１２０２は、電気回路１０４を包囲し、ブラケットのエレメントとして機能する。第３の固定電気的長さセクション３００ｃは、シャーシ１２００上に形成される導電性トレース、導電性塗料、またはメッキであり、ＳＥＬＳ２０４を介して接地板１０６に結合される。示されるように、ＳＥＬＳ２０４は、ＰＣＢの導電性トレースとして可能化される第１のＦＥＬＳ３００ａに接続され、ねじとして可能化される第２のＦＥＬＳ３００ｂに接続され、ＦＥＬＳ３００ａをＦＥＬＳ３００ｃに接続する。他の局面においては、ＦＥＬＳ３００ｂは、バネ仕掛けのクリップ、ポーゴーピン（ｐｏｇｏ  ｐｉｎ）、または導電性のクッション（ガスケット）であり得る。上述の例に照らし、当業者によって理解されるように、シャーシをブラケットのエレメントとして利用する様々な他のブラケット構成が可能である。
【００３０】
図１３は、一部の例示的なＦＥＬＳのバリエーションを示す透視図である。ＦＥＬＳ３００は、ブラケットまたは接地板にハンダ付けまたはテンション取り付けされる導電性金属部材であり得る。金属の形状は、直線１３００、Ｌ形１３０２、またはＯ形１３０４であり得る。他の形状、または、形状の組み合わせが可能である。一部の形状は、利用可能な周囲のエリアに依存する。さらに、ＦＥＬＳは、ワイヤ１３０６、ねじ１３０８のようなファスナー、導電性のクッション（ガスケット）１３１２、または、ＰＣＢまたはシャーシに形成される導電性エレメントのトレースまたは塗料１３１０であり得る。これらは、ＦＥＬＳエレメントの少数の例にすぎない。電流を伝導し得る任意のエレメントが、ＦＥＬＳとして作動し得る可能性を有する。
【００３１】
（機能に関する説明）
図１４Ａおよび図１４Ｂは、本発明のブラケットが、接地板に放射により誘起された電流を再分配する状況を示す図である。垂直方向の大きさは電流（Ｉ）を示す。面積（ｕｎｉｔ２）あたりの電流、例えば、Ａ／ｉｎ２は電流または電流再分配の１つの可能な尺度である。しかしながら、他の測定値が本発明を明らかにするために使用され得る。図１４Ａにおいては、８９０ＭＨｚの放射発生源の結果として、比較的高い電流がある特定の領域に示されている。図１４Ｂに示されるように、ブラケット１０８を可能化することに応答して、電流が再分配される。異なる電気的長さがいろいろな放射周波数に対して使用され得るので、ブラケットは周波数再構成可能であると考えられ得る。あるいは、電流を接地板のいろいろな領域に再分配するために利用され得るので、ブラケットは空間的に再構成可能であるとも考えられ得る。例えば、デバイスが物体の近くに移動された後に、電流を再分配（図１４Ａに示されるように）するようにブラケット１０８は調整され得、図１４Ｂに示される電流パターンを作り得る。
【００３２】
図１５は、再構成可能な放射感受性低減のための本発明の方法を示すフローチャートである。該方法は、わかり易さのために、番号付けされた一連のステップとして描かれているが、明示的に記述されない限り、いかなる順番も番号付けから結論されるべきではない。一部のステップがスキップされ、平行して実行され、または、厳密な順番を守る必要なしに実行され得る。該方法はステップ１５００から開始する。
【００３３】
ステップ１５０２は放射または送信された波を受信する。ステップ１５０４は、放射波に応答して、電気回路の接地板を介して第１の単位面積あたりの電流（Ｉ／ｕｎｉｔｓ２）を生成する。すなわち、ステップ１５０２において、放射波の結果として電流が誘起される。ステップ１５０６は、制御信号を受信する。ステップ１５０８は、制御信号に応答して、接地板を介して、第１のＩ／ｕｎｉｔｓ２とは異なる第２のＩ／ｕｎｉｔｓ２を生成する。言い換えると、上述したように、Ｉ／ｕｎｉｔｓ２は周波数再構成可能または空間的再構成可能のいずれかである。上述のように、電流に関係した測定の選択にはいくらかの裁量の余地があり、本発明は、電流、エネルギーまたは電界強度に関連する他の測定単位でも表現され得る。
【００３４】
ステップ１５０２は、送信器、アンテナ、マイクロプロセッサ、電気部品、集積回路、カメラ、コネクタ、および信号ケーブルなどの発生源からの放射波を受け取る。ステップ１５０４は、プリント基板（ＰＣＢ）、ディスプレイ、コネクタ、またはキーパッドに取り付けられたコンポーネントのような電気回路の接地板を介して第１のＩ／ｕｎｉｔｓ２を生成する。
【００３５】
１つの局面においては、ステップ１５０８は、選択可能な有効電気長さを有するブラケットに接地板を結合することによって、電気回路の接地板を介して第２のＩ／ｕｎｉｔｓ２を生成する。さらに、接地板は、固定物理的長さセクションを有するブラケットに結合され得、固定の物理的長さおよび選択可能な有効電気的長さに応じて組み合わされた有効電気的長さを提供する。
【００３６】
他の局面においては、ステップ１５０８は、接地板を複数の選択可能電気的長さセクションを有するブラケットに結合する。例えば、接地板への接続、直列接続、並列接続、または、上述の接続構成の組み合わせのような構成で、複数の選択可能電気的長さセクションは結合され得る。同様に、ステップ１５０８は、接地板を複数の固定物理的長さセクションを有するブラケットに結合し得る。再び、複数の固定電気的長さセクションは、接地板に対して直列接続、並列接続、または、上述の接続構成の組み合わせで結合され得る。
【００３７】
異なる局面においては、ステップ１５０８は、トランジスタ結合、ｐ／ｎ接合結合、選択可能容量結合、可変ギャップ結合、またはメカニカルブリッジのようなメカニズムを介して結合する。例えば、トランジスタは、スイッチ、バッファ、電流増幅器、電圧増幅器、またはリアクタンスエレメントとして作動し得る。トランジスタ結合は、バイポーラトランジスタまたはＦＥＴを用いて達成され得る。ｐ／ｎ接合結合は、ＰＩＮダイオードを用いて達成され得る。容量結合は、バラクターダイオードまたは強誘電性コンデンサを用いて達成され得、メカニカルブリッジは、ＭＥＭＳまたは他のタイプのメカニカルスイッチを用いて達成され得る。可変ギャップ結合は、ＭＥＭＳスイッチを使用して可能化され得る。
【００３８】
再構成可能な放射感受性低減ブラケットを有するデバイス、および、対応する再構成可能な放射感受性低減の方法が提供された。特定のブラケット形状および概略的な配置の一部の例が、本発明を明らかにするために提示された。同様に、本発明に対する一部の特定の物理的なインプリメンテーションおよび用途が述べられた。しかしながら、本発明は、これらの例だけに限定されるものではない。当業者によって、本発明の他のバリエーションおよび実施形態が想起されるであろう。
【図面の簡単な説明】
【００３９】
【図１】図１は、再構成可能な放射感受性低減ブラケットを有する本発明のデバイスの概略的なブロック図である。
【図２】図２は、図１のブラケットの概略的なブロック図である。
【図３】図３は、図１のブラケットの第１のバリエーションの概略的なブロック図である。
【図４】図４は、図１のブラケットの第２のバリエーションの概略的なブロック図である。
【図５】図５は、図１のブラケットの第３のバリエーションの概略的なブロック図である。
【図６】図６は、図１のブラケットの第４のバリエーションの概略的なブロック図である。
【図７】図７は、図１のブラケットの第５のバリエーションを示す概略的なブロック図である。
【図８】図８は、図１のブラケットの第６のバリエーションの概略的なブロック図である。
【図９】図９は、図１のブラケットの第７のバリエーションを示す概略的なブロック図である。
【図１０】図１０は、直列接続および並列接続されたＦＥＬＳの一部の組み合わせを示す概略的なブロック図である。
【図１１】図１１は、複数の固定電気的長さセクションが隣接した導電性エリアのマトリクスを形成する場合の、ブラケット設計を示す概略的な平面図である。
【図１２】図１２は、ブラケットシャーシの設計を示す一部を切り取った透視図である。
【図１３】図１３は、一部の例示的なＦＥＬＳのバリエーションを示す透視図である。
【図１４】図１４Ａおよび図１４Ｂは、本発明のブラケットが、接地板に放射により誘起された電流を再分配する状況示す図である。
【図１５】図１５は、再構成可能な放射感受性低減のための、本発明の方法を示すフローチャートである。
【図１】
2008512973.tif 000003
【図２】
2008512973.tif 000004
【図３】
2008512973.tif 000005
【図４】
2008512973.tif 000006
【図５】
2008512973.tif 000007
【図６】
2008512973.tif 000008
【図７】
2008512973.tif 000009
【図８】
2008512973.tif 000010
【図９】
2008512973.tif 000011
【図１０】
2008512973.tif 000012
【図１１】
2008512973.tif 000013
【図１２】
2008512973.tif 000014
【図１３】
2008512973.tif 000015
【図１４Ａ】
2008512973.tif 000016
【図１４Ｂ】
2008512973.tif 000017
【図１５】
2008512973.tif 000018
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
分配された接地板電流を有するデバイスであって、該デバイスは、
接地板を備える電気回路と、
該接地板の少なくとも１つのエリアに望ましくない接地板電流を生成する放射発生源と、
該分配された接地板電流を生成するために該望ましくない接地板電流の電流パターンを修正する該接地板に結合されるブラケットと
を備え、
該ブラケットは、該接地板に接続される導電性エレメントを備え、該導電性エレメントは、固定の物理的長さおよび選択可能な有効電気的長さを有する、
デバイス。
【請求項２】
前記電気回路は、プリント基板（ＰＣＢ）、ディスプレイ、コネクタ、および、キーパッドに取り付けられた部品を含むグループの中から選択される、請求項１に記載のデバイス。
【請求項３】
前記放射発生源は、送信器、アンテナ、マイクロプロセッサ、電気部品、カメラ、コネクタ、信号ケーブル、および、集積回路を含むグループの中から選択される、請求項１に記載のデバイス。
【請求項４】
前記ブラケットは、制御信号を受信するために前記導電性エレメントに接続される制御入力をさらに備え、該導電性エレメントの前記選択可能な有効電気的長さは、該制御信号に応答する、請求項１に記載のデバイス。
【請求項５】
前記導電性エレメントは、固定電気的長さセクション、および、選択可能電気的長さセクションを備える、請求項４に記載のデバイス。
【請求項６】
前記ブラケットは、少なくとも１つの選択可能電気的長さセクションを有する複数の導電性エレメント含む、請求項１に記載のデバイス。
【請求項７】
前記導電性エレメントは、接地板接続、直列接続、並列接続を含むグループの中から選択される構成で接続される、複数の選択可能電気長さセクションを備える、請求項５に記載のデバイス。
【請求項８】
前記ブラケットは、複数の固定電気的長さセクションを含む、請求項５に記載のデバイス。
【請求項９】
前記複数の固定電気的長さセクションは、接地板接続、直列接続、並列接続を含むグループの中から選択される構成で、前記選択可能電気的長さセクションに接続される、請求項８に記載のデバイス。
【請求項１０】
前記選択可能電気的長さセクションは、ＦＥＴ、ＰＩＮダイオード、強誘電性コンデンサ、バラクターダイオード、およびマイクロエレクトロメカニカルシステム（ＭＥＭＳ）スイッチを含むグループの中から選択される、請求項５に記載のデバイス。
【請求項１１】
前記導電性エレメントは、
隣合う導電性エリアのマトリクスとして形成される複数の固定電気的長さセクションと、
固定電気的長さセクションの間を結合する複数の選択可能電気的長さセクションと
を含み、
該複数の選択可能電気的長さセクションのうちの少なくとも１つは前記接地板に結合される、
請求項４に記載のデバイス。
【請求項１２】
前記固定電気的長さセクションは、ワイヤ、ファスナー、導電性トレース、導電性塗料を含むグループの中から選択されるエレメントであり、かつ、直線、Ｌ形、Ｏ形、および、上記形状の組み合わせに形成される部材である、請求項５に記載のデバイス。
【請求項１３】
前記ブラケットは、前記電気回路を包囲するシャーシを含み、
前記固定電気的長さセクションは、シャーシに導電性トレースとして形成され、
前記選択可能電気的長さセクションは、該シャーシに取り付けられた固定電気的長さセクションを前記接地板に結合する、
請求項５に記載のデバイス。
【請求項１４】
周波数選択コマンドを受信する入力および前記ブラケットの前記制御入力に接続される出力を有する、感受性低減制御回路をさらに備える、請求項４に記載のデバイス。
【請求項１５】
接地板電流を分配するブラケットであって、該ブラケットは、
接地板に接続される導電性エレメントであって、該導電性エレメントは、少なくとも１つの固定電気的長さセクションおよび少なくとも１つの選択可能電気的長さセクションを備える、導電性エレメントと、
該少なくとも１つの選択可能電気的長さセクションに接続される制御入力であって、該少なくとも１つの選択可能電気的長さセクションの有効電気的長さが該制御入力の制御信号入力に応答する制御入力と
を備え、該ブラケットの該有効電気的長さは、分配された接地板電流を生成するために、放射発生源によって生成される望ましくない接地板の電流パターンを修正する、ブラケット。
【請求項１６】
前記導電性エレメントは複数の導電性エレメントである、請求項１５に記載のブラケット。
【請求項１７】
前記少なくとも１つの固定電気的長さセクションおよび前記少なくとも１つの選択可能電気的長さセクションは、並列構成で配置される、請求項１５に記載のブラケット。
【請求項１８】
前記少なくとも１つの固定電気的長さセクションおよび前記少なくとも１つの選択可能電気的長さセクションは、直列構成で配置される、請求項１５に記載のブラケット。
【国際調査報告】
2008512973.tif 000019
2008512973.tif 000020
2008512973.tif 000021